(57)【特許請求の範囲】
【請求項１】
開口端部を有する外方ハウジングと外方ハウジング内で入れ子式に収容された内方ケーシングとを含み、この内方ケーシングは、少なくともその一部が外方ハウジングの開口端部から延出した開封位置と内方ケーシングが開封位置より外方ハウジング内に格納された閉じた位置との間で可動であり、内方ケーシングが長尺の喫煙品をその長手方向軸に対して横断する方向に分出できるように構成された長尺の取り出し開口部を含み、閉じた位置において、パックは長手寸法およびそれより短い横手寸法を有し、内方ケーシングは、外方ハウジングに対して横手寸法の方向に入れ子式にスライド可能であり、前記長手寸法の方向に長手方向軸が位置合わせされた長尺の喫煙品を収容することを意図した喫煙品用パック。
【請求項２】
前記内方ケーシングは、その外壁に形成されたスロットを含み、このスロットは、ユーザーが内方ケーシングに収容された喫煙品を取り出し開口部から出し入れできるように構成されていることを特徴とする請求項１記載のパック。
【請求項３】
外方ハウジングは、内方ケーシングに形成されたスロットに対応して外方ハウジングの外壁に形成されたスロットを含むことを特徴とする請求項２記載のパック。
【請求項４】
外方ハウジングと内方ケーシングの間に配された内方ケーシングを外方ハウジングから開封位置へと付勢するように構成された付勢エレメントをさらに含むことを特徴とする請求項１乃至３いずれか１項記載のパック。
【請求項５】
外方ハウジング内で内方ケーシングを閉じた位置に保持するように構成された協働係止手段をさらに含むことを特徴とする請求項１乃至４いずれか１項記載のパック。
【請求項６】
内方ケーシングは、これにヒンジ式に取り付けられた蓋を含み、この蓋は取り出し開口部が露出した開封位置と蓋が取り出し開口部を覆う閉鎖位置との間で枢動可能であることを特徴とする請求項１乃至５いずれか１項記載のパック。
【請求項７】
前記協働係止手段は、外方ハウジングに設けられた少なくとも１つの第１タブおよび蓋に設けられた第２タブを含むことを特徴とする、請求項５に従属する請求項６に記載のパック。
【請求項８】
前記第１タブまたは各第１タブは、開口端部の位置で外方ハウジングの壁に設けられ、さらに、その第１タブまたは各第１タブは、それが設けられた壁の中央に向かって角度がつけられていることを特徴とする請求項７記載のパック。
【請求項９】
前記取り出し開口部に１つ以上の喫煙品保持エレメントが設けられ、この保持エレメントは内方ケーシング内の喫煙品が取り出し開口部を介して自由に落下することを防ぐように構成されていることを特徴とする請求項１乃至８いずれか１項記載のパック。
【請求項１０】
保持エレメントは、取り出し開口部を少なくとも部分的に横断して延びる少なくとも１つの弾性タブを含むことを特徴とする請求項９記載のパック。
【請求項１１】
完全に開いた位置の所定の距離を超えて外方ハウジングから内方ケーシングが延出することを妨げる停止機構をさらに含むことを特徴とする請求項１乃至１０いずれか１項記載のパック。
【請求項１２】
内方ケーシングは、パックが閉じた位置にあるとき、全体が外方ハウジング内に収容されることを特徴とする請求項１乃至６いずれか１項記載のパック。
【請求項１３】
取り出し開口部を覆う取り外し可能なパネルをさらに含むことを特徴とする請求項１乃至１２いずれか１項記載のパック。
【請求項１４】
取り出し開口部の長手方向に対して平行に配向された長手方向軸を有する細長い紙巻きタバコを収容することを特徴とする請求項１乃至１３いずれか１項記載のパック。
【発明の詳細な説明】
【技術分野】
【０００１】
本発明は、喫煙品用パックに関し、特に外方ハウジング内でスライド可能な内方ケーシングを有するパックに関するが、これに限定されない。
【背景技術】
【０００２】
パックとしては外方ハウジングとその中にスライド可能に収容された内方ケーシングとを含むものが知られており、この内方ケーシングは、それが外方ハウジング内に収容されている閉じた位置と内方ケーシングが少なくともその一部が外方ハウジングから延出してユーザーが内方ケーシングに収容されている喫煙品に触れることができる開封位置との間で可動である。このようなパックは、一般に「シェルスライド」パックとして知られている。
【発明の概要】
【０００３】
本発明の実施態様は、喫煙品用のパックを提供し、これは開口端部を有する外方ハウジングと外方ハウジング内で入れ子式に収容された内方ケーシングとを含み、この内方ケーシングは、少なくともその一部が外方ハウジングの開口端部から延出した開封位置と内方ケーシングが開封位置より外方ハウジング内に格納された閉じた位置との間で可動であり、内方ケーシングが長尺の喫煙品をその長手軸に対して横断する方向に横方向に分出できるように構成された長尺の取り出し開口部を含む。
【０００４】
本発明のパックは、細長い喫煙品をその長手方向軸が外方ハウジングに対する内方ケーシングの入れ子式スライド方向に直角になるように配向された状態で収容するように構成してもよい。
【０００５】
長尺の取り出し開口部は、その長手方向が外方ハウジングに対する内方ケーシングの入れ子式スライド方向に実質的に直交するように構成されてもよい。長尺の取り出し開口部は、内方ケーシングの前壁または内方ケーシングの頂壁に形成してもよく、内方ケーシングの側壁へと延びてもよい。
【０００６】
内方ケーシングは、その外壁に形成されたスロットを含んでもよく、このスロットは、ユーザーが内方ケーシングに収容された喫煙品を取り出し開口部から出し入れできるように構成される。スロットは、長尺の取り出し開口部と連通してもよく、長尺の取り出し開口部の長手方向と実質的に直交するように延びてもよい。
【０００７】
外方ハウジングは、内方ケーシングに形成されたスロットに対応して外方ハウジングの外壁に形成されたスロットを含んでもよい。
【０００８】
本発明のパックは、外方ハウジングと内方ケーシングの間に配された内方ケーシングを外方ハウジングから開封位置へと付勢するように構成された付勢エレメントをさらに含んでもよい。付勢エレメントは、折りたたまれたカードスプリングであってもよく、外方ハウジングおよび／または内方ケーシングと一体に形成してもよい。これとは別に付勢エレメントは、別個の部材であってもよく、これは外方ハウジングおよび／または内方ケーシングに接着してもよい。さらに別の実施態様では本発明のパックは、「プッシュ−プッシュ」機構を含んでもよく、これは内方ケーシングが外方ハウジング内に押し込まれた際にパックを交互に開閉するためのものである。
【０００９】
本発明のパックは、外方ハウジング内で内方ケーシングを閉じた位置に保持するように構成された協働係止手段をさらに含んでもよい。
【００１０】
内方ケーシングは、これにヒンジ式に取り付けられた蓋を含んでもよく、この蓋は取り出し開口部が露出した開封位置と蓋が取り出し開口部を覆う閉鎖位置との間で枢動可能である。
【００１１】
係止手段は、外方ハウジングに設けられた少なくとも１つの第１タブおよび蓋に設けられた第２タブを含んでもよく、第１および第２タブの内の１つは、折りたたまれ、外方ハウジング／蓋の対応する壁に接着させてもよい。外方ハウジングは、内方フレームを含んでもよく、上記少なくとも１つの第１タブを内方フレームに形成してもよい。外方ハウジングは、一対の互いに間隔を置いて位置する第１タブを含んでもよく、この対の第１タブは、内方ケーシングおよび／または外方ハウジングのスロットのいずれかの側部に配置してもよい。この第１タブまたは各第１タブは、外方ハウジングの対応する壁の中央の方へと下方に角度が付けられてもよい。
【００１２】
取り出し開口部に１つ以上の喫煙品保持エレメントを設けてもよく、これは内方ケーシング内の喫煙品が取り出し開口部を介して自由に落下するのを防ぐように構成され、この保持エレメントは、取り出し開口部を少なくとも部分的に横断して延びる少なくとも１つの弾性タブを含んでもよい。保持エレメントは、内方ケーシングと一体に形成されたまたは内方ケーシングに接着された少なくとも１つの弾性タブを含んでもよい。上記少なくとも１つの弾性タブは、内方ケーシングの壁の１つから内方ケーシングの対向する壁の方へ取り出し開口部を横断して延びてもよく、内方ケーシングから最初の喫煙品を取り出す際に破断するように構成された脆弱化された線を含んでもよい。
【００１３】
本発明のパックは、完全に開いた位置の所定の距離を超えて外方ハウジングから内方ケーシング延出するのを妨げる停止機構をさらに含んでもよい。停止機構は、外方ハウジングから内方に延びた少なくとも１つの第１タブと内方ケーシングから外方に突出した少なくとも１つの第２タブを含んでもよく、第１および第２タブは、内方ケーシングの所定の完全に延びた位置で互いに係合するように構成され、内方ケーシングが開封方向へさらに移動するのを防いでいる。
【００１４】
閉じた位置において、本発明のパックは長手寸法およびそれより短い横手寸法を有してもよく、内方ケーシングは、外方ハウジングに対して横手寸法の方向に入れ子式にスライド可能であってもよい。
【００１５】
内方ケーシングは、パックが閉じた位置にあるとき、全体が外方ハウジング内に収容されてもよい。
【００１６】
本発明のパックは、取り出し開口部を覆う取り外し可能なパネルをさらに含んでもよい。取り外し可能なパネルは、内方ケーシングと一体に形成してもよく、内方ケーシングの素材にミシン目などの脆弱化された線によって境界を設けてもよい。
【００１７】
外方ハウジングは、大きい前後壁を含んでもよく、これらは前後壁より小さい側壁および底壁によって連結された、開口頂端部を有してもよく、内方ケーシングは、大きい前後壁を含んでもよく、これらは前後壁より小さい側壁および底壁によって連結され、外方ハウジングからその開口頂端部を介して出したり、入れたりできるようにしてもよく、取り出し開口部は、内方ケーシングの頂端部に形成されてもよい。これとは別に外方ハウジングは、大きい前後壁を含んでもよく、これは前後壁より小さい側壁および底壁によって連結され、開口頂端部を有してもよく、内方ケーシングは、大きい前後壁を含んでもよく、これらは小さい側壁、頂壁および底壁によって連結され、外方ハウジングからその開口頂端部を介して出したり、入れたりできるようにしてもよく、取り出し開口部は、内方ケーシングの前壁に形成してもよい。
【００１８】
本発明のパックは、取り出し開口部の長手方向に対して平行に配向された長手方向軸を有する細長い紙巻きタバコを収容してもよい。
【００１９】
本発明の好ましい実施態様を添付図面を参照して、あくまで例示を目的として説明する。
【図面の簡単な説明】
【００２０】
【図１】閉じた位置にある本発明の第１の実施態様によるパックを示す。
【図２】開いた位置にある図１のパックを示す。
【図３】図１および２のパックの分解図である。
【図４】開いた位置にある本発明の第２の実施態様によるパックを示す。
【図５】開いた位置にある本発明の第３の実施態様によるパックを示す。
【図６】閉じた位置にある本発明の第４の実施態様によるパックを示す。
【図７】開いた位置にある図６のパックを示す。
【図８】閉じた位置にある本発明の第５の実施態様によるパックを示す。
【図９】開いた位置にある図８のパックを示す。
【図１０】閉じた位置にある本発明の第６の実施態様によるパックを示す。
【図１１】開いた位置にある図１０のパックを示す。
【発明を実施するための形態】
【００２１】
図１〜３を参照すると、本発明の第１の実施態様のパック１０は、外方ハウジング１１と内方ケーシング１２を含む。外方ハウジング１１は大きい前後壁１３、１４を有し、これらは小さい側壁１５、１６および底壁１７によって連結されている。外方ハウジング１１の頂部は、内方ケーシング１２を収容するために開口しており、これは大きい前後壁１８、１９を含み、これらは小さい側壁２０、２１および底壁２２によって連結されている。内方ケーシングはヒンジ式蓋２３含み、この蓋は後壁１９に接続され、ヒンジ線２４を中心に枢動可能であり、内方ケーシング１２の上部にある取り出し開口部２５が覆われている閉じた位置と取り出し開口部２５が内方ケーシング１２に収容される喫煙品Ｃ（図３参照）を取り出すために露出する開いた位置の間で移動することができる。
【００２２】
内方ケーシング１２は外方ハウジング１１にスライド式に収容され、ケーシング１２が外方ハウジング１１から少なくとも部分的に突出し、ヒンジ式蓋２３が枢動して開いて取り出し開口部２５を露出させる開いた位置（図２参照）と内方ケーシング１２が外方ハウジング１１内に格納され、ヒンジ式蓋２３を枢動させて閉じて、取り出し開口部２５を覆ってケーシング１２の内容物を取り出せないようにする閉じた位置（図１参照）との間で移動可能である。
【００２３】
パック１０は、内方ケーシング１２が所定の距離を超えて外方ハウジング１１から延出することを妨げる停止機構を含む。停止機構は、外方ハウジング１１の側壁１５、１６の内側で内方に折り曲げられた一組のタブ２６と内方ケーシング１２の側壁２０、２１から突出した一組の対応するタブ２７とを含む。内方ケーシング１２は、内方ケーシング１２のタブ２７が外方ハウジング１１のタブ２６と係合し、内方ケーシング１２がスライド移動して外方ハウジング１１から外れるのを防ぐまで、外方ハウジング１１から延出することができる。
【００２４】
スロット２８が外方ハウジング１１の前壁１３に形成され、対応するスロット２９が外方ハウジング１１のスロット２８と位置合わせされて内方ケーシング１２の前壁１８に形成されている。
【００２５】
パック１０には蓋係止機構が設けられており、これは外方ハウジング１１の前壁１３の頂部から下方へと離れるように延びた一組の弾性係止タブ３０と蓋２３の前壁３２の内側に折り曲げられ、これに接着された内方フラップ３１とを含み、内方フラップ３１は、その離れた方の縁部で唇部３３を画定している。使用の際に蓋２３が完全に閉じた位置にあるとき、弾性係止タブ３０は、蓋２３の内側の内方フラップ３１の上に乗っかり、唇部３３に接して位置する。係止タブ３０は弾性であるので、これらは外方ハウジング１１の前壁１３から離れるように作用し、これらを唇部３３と係合するように付勢し、蓋２３を閉じた位置に維持する力を奏する。
【００２６】
パック１０は、弾性の折りたたまれたカードスプリングの形態の付勢エレメント３４（図３参照）をさらに含み、これは外方ハウジング１１の底壁１７と内方ケーシング１２の底壁２２の間で外方ハウジング１１内に配されている。付勢エレメント３４は、外方ハウジング１１および／または内方ケーシング１２に接着されてもよく、またはこれとは別に本発明の範囲内で一枚のブランクから外方ハウジング１１または内方ケーシング１２と一体に形成してもよい。付勢エレメント３４は、上述の係止機構が外れて、内方ケーシング１２が外方ハウジング１１に対して自由に動くようになったら、内方ケーシング１２を外方ハウジング１１から出るよう開口部の方向に（図２の矢印Ａで示すように）に付勢する役割を果たす。従って付勢エレメント３４は、上述の停止機構が所定の延伸距離より内方ケーシング１２が外方ハウジング１１から延びないようにするまで、外方ハウジング１１から出るように内方ケーシング１２を付勢する。
【００２７】
パック１０は、長手方向Ｌとそれより短い（少なくとも閉じた位置で）横手方向Ｔによって構成されている（図１参照）。図から明らかなようにパック１０は、横方向Ｔに開口する。パック１０は、紙巻きタバコＣなどの細長い喫煙品を収容することを意図しており（図３参照）、喫煙品の長手方向軸がパック１０の長手方向Ｌに位置合わせされ、外方ハウジング１１に対する内方パック１２の開口方向Ａを横断するように配置される。またパック１０は、内方ケーシング１２から取り出し開口部２５を介して喫煙品Ｃを横方向に、即ちその長手方向軸に直角方向に取り出せるように構成されている。外方ハウジングおよび内方ケーシング１１、１２の位置合わせされたスロット２８、２９によって、２、３本の喫煙品Ｃしか内方ケーシング１２の底部に残っていない場合でも、ユーザーが喫煙品Ｃに触れてパック１０の取り出し開口部２５から喫煙品取り出せるようにする指用スロットとして作用することによって喫煙品を取り出しやすくする。パック１０の閉じた位置において、蓋２３の前壁３２が外方ハウジング１１のスロット２８を覆い、内方ケーシング１２のスロット２９は、外方ハウジング１１の前壁１３と蓋２３の前壁３２の両方によって覆われる。従って閉じた位置において、パック１０は封止され、スロット２８、２９を通るパック１０の外側から内側への経路は存在しない。
【００２８】
使用の際、パック１０を開くためにユーザーは蓋２３を枢動させて開き、内方フラップ３１の唇部３３から蓋係止機構の弾性係止タブ３０を外し、付勢エレメント３４が、上述の停止機構によって画定された所定の最大の開いた位置に内方ケーシングが到達するまで内方ケーシング１２を外方ハウジング１１から出るように矢印Ａの方向に付勢する。それから喫煙品Ｃに触れることができ、ユーザーは上述したように取り出し開口部２５を介して内方ケーシング１２から横方向に取り出すことができる。ユーザーが喫煙品Ｃを取り出した後、蓋２３を閉じた位置へと枢動させ、蓋係止機構の弾性係止タブ３０が内方フラップ３１の唇部３３と係合し、付勢エレメント３４の力に対抗して閉じた位置にパック１０を保持するまで内方ケーシング１２が矢印Ａの反対方向に外方ハウジング１１内に押し戻される。
【００２９】
付勢エレメント３４は、蓋２３の唇部３３を弾性係止タブ３０の下方縁部に対して上方に付勢し、閉じた位置において蓋２３の遊びを避けるので、蓋係止機構のために確実な係止係合を供し、またこれにより蓋が閉じられたことを再確認することができる高度な触感が得られる。しかしながら本発明は、外方ハウジング１１からでるように内方ケーシング１２を付勢する付勢エレメント３４を有するパックに限定されることを意図したものではなく、代わりに内方ケーシング１２を外方ハウジング１１から手動で出し入れするように付勢エレメントを省略してもよい。
【００３０】
図に示し、上述した付勢エレメント３４は、外方ハウジング１１および／または内方ケーシング１２に接着されたまたはこれと一体に形成された折りたたまれたカードエレメントを含む。しかしながら、スポンジブロックまたは弾性プラスチックエレメント、例えば折りたたまれた／湾曲したＰＥＴストリップなどの他の形体の付勢エレメントを設けることも本発明の範囲内である。
【００３１】
図に示し、上述したパック１０の付勢エレメント３４の構成は、それが完全に閉じた位置から停止機構によって画定された最大限完全に延びた開いた位置への全移動範囲に亘って内方ケーシング１２に対して付勢力を供するようになっている。しかしながら、これとは別に付勢エレメントが初期の完全に閉じた位置から内方ケーシング１２の開口移動の一部においてのみ内方ケーシング１２に開口付勢力を加えるように構成することも本発明の範囲内である。
【００３２】
付勢エレメント３４を有するまたは内方ケーシング１２を開いた位置および閉じた位置の間で手動で動かせるようにすることとは別にパック１０が外方ハウジング１１の底壁１７と内方ケーシング１２の底壁２２の間で外方ハウジング１１内に配された「プッシュ−プッシュ」開閉機構を含むことも本発明の範囲内である。このような機構は、内蔵ユニットであり、これはスプリングエレメントと解除可能なラッチ機構を含み、これらは内方ケーシング１２がスプリングエレメントの付勢力に抗して外方ハウジング１１内に押し込まれると、ラッチが係合し、内方ケーシング１２が格納された閉じた位置に留まるように作動する。その後内方ケーシング１２を再度外方ハウジング１１内に押し込むと、ラッチ機構が外れ、内方ケーシング１２は付勢エレメント力によって外方ハウジング１１から延びた開いた位置へと延出する。さらに内方ケーシング１２を外方ハウジング１１内に押し込むと、ラッチ機構を再度係合させ、また内方ケーシング１２を格納された閉じた位置に留め、このように開く／閉じる工程が交互に繰り返される。このような実施態様において蓋係止機構を省略してもよい。
【００３３】
図示し、上述した本発明の実施態様は、外方ハウジング１１に形成された弾性係止タブ３０を示している。しかしながら、外方ハウジング１１がそれと内方ケーシング１２の間に内方フレームを含み、このような係止タブを内方フレームに形成することも本発明の範囲内である。
【００３４】
図に示し、上述した本発明の実施態様では、停止機構のタブ２６、２７が外方ハウジング１１と内方ケーシング１２の側壁に設けられている。しかしながら、これとは別に停止機構のタブを外方ハウジング１１と内方ケーシング１２の後壁および／または前壁に設けてもよい。さらに内方ケーシング１２と外方ハウジング１１の側壁または後壁の停止機構は、図示し、上述したものとは別の構成を含んでもよい。例えば停止機構は、外方ハウジング１１の１つ以上の壁の頂縁部にあり、側壁の内面上に折りたたまれた（これに接着させてもさせなくてもよい）フラップと内方ケーシング１２がその完全に延びた開いた位置に到達したときにフラップの縁部に当接するように構成された内方ケーシング１２の対応する壁の外面から突出して形成された段付きのノッチとを含んでもよい。
【００３５】
ここで図４を参照すると図２に示した第１の実施態様に対応する開いた位置にある本発明の第２の実施態様によるパック１１０が示されている。パック１１０の大部分は、第１の実施態様のパックと同じであり、同様の特徴を有するものには同じ参照符号を付してある。第２の実施態様のパック１１０と第１の実施態様のパックとの違いは、第２の実施態様のパック１１０の外方ハウジング１１の前壁１３の頂縁部１１１が前壁１３の中央のスロット２８の方へと下方に角度が付けられているということである。蓋係止機構の係止タブ３０もまた同じように前壁１３の中央下方へと角度が付けられている。また蓋２３の前壁３２の内側の唇部３３も同じように角度が付けられた部分１１２を含む。係止タブ３０に角度が付けられていることによって、蓋２３を枢動させて閉じる際に、蓋の前壁３２が最初に係止タブ３０の外方縁部と係合し、蓋２３をさらに枢動させて閉じると、蓋前壁３２の下方縁部が係止タブ３０と外方ハウジング１１の前壁１３の中央の方へとさらに内方に向かう位置で係合し続けるというパック１１０を閉じる際に技術的な利点を供する。これによってパック１１０を閉じる際の動作が滑らかになる。さらに外方ハウジング１１の前壁１３を外方に撓ませると、係止タブ３０の外方縁部と係合する蓋２３は最初に外方ハウジング１１の前壁１３の中央（即ち最も外方に撓んだ部分）を内方に引き寄せ、蓋内に位置するが、水平な縁部を有するパックでは蓋２３は単に外方ハウジング１１の前壁１３の上縁部と当接するだけで閉じる動作を損なう場合がある。
【００３６】
ここで図５を参照すると、本発明の第３の実施態様によるパック２１０が図２および４に示した第１および第２の実施態様に対応する開いた状態で示されている。パック２１０の大部分は第１の実施態様のパックと類似しており、同様の特徴を有するものには同じ参照符号を付してある。第３の実施態様のパック２１０と第１の実施態様のパックとの違いは、取り出し開口部２５が内方ケーシング１２の前壁１８から後壁１９へと開口部を横断して延びた一組の保持タブ２１１を含むということである。これらの保持タブは、パックが開いた位置にあって、パック２１０を逆さまにしたり、振ったりした際に、内方ケーシング１２に収容されている喫煙品Ｃが取り出し開口部２５から自由に落下するのを防ぐ役割を果たす。このことは喫煙品がパックから長手方向に取り出されるように喫煙品が配置された従来のパックでは、喫煙品が互いに接触し、それによる摩擦が喫煙品をパック内に維持しやすくしている（少なくともパックが喫煙品でいっぱいになっている、または実質的にいっぱいになっている）ので有利である。またこのような従来のパック内の喫煙品の向きが喫煙品を落下しにくくしている。本発明のパック２１０では喫煙品Ｃが開口方向（矢印Ａ）に積み重ねられており、取り出し開口部２５に最も近い最上段の喫煙品が内方ケーシング１２から落下しやすい。従って保持タブ２１１は、意図せずに取り出し開口部２５から落下するのを防ぐバリアーとして機能する。
【００３７】
保持タブは内方ケーシング１２の前壁１８または後壁１９のいずれかと一体に形成された弾性タブであってもよく、あるいはこれに接着された別個のエレメントであってもよい。これとは別に保持タブ２１１を内方ケーシング１２の前壁１８および後壁１９両方に形成してもよく、取り出し開口部２５の中央で接合させてもよい。さらに保持タブを内方ケーシング１２の前壁１８および／または後壁１９の一方または両方と一体に形成し、保持タブが内方ケーシング１２から最初の喫煙品を取り出す際に破断される脆弱化された線２１２を含むことも本発明の範囲内である。保持タブ２１１の弾性によって脆弱化された線２１２に沿って破断して、最初の喫煙品を取り出した後でもその喫煙品保持機能の役割を果たし続けることができる。脆弱化された線２１２は、内方ケーシング１２の前壁１８または後壁１９の近くで保持タブ２１１に形成してもよく（図５に示すように）、あるいは保持タブ部分２１１が内方ケーシング１２の前壁１８および後壁１９の両方に残って、取り出し開口部２５を部分的に横断して延びるように内方ケーシング１２の前壁１８および後壁１９の間のある点で保持タブ２１１に形成してもよい。脆弱化された線２１２は、保持タブ２１１の素材に刻みをつける、エンボス加工するまたは穿孔するなどのあらゆる従来の方法で形成してもよい。
【００３８】
本発明の第４の実施態様によるパック３１０を図６および７に示し、これは上述した本発明のいくつかの実施態様のパックに類似する外方ハウジング１１および内方ケーシング１２を含み、同様の特徴を有するものには同じ参照符号を付してある。第４の実施態様のパックと上述したいくつかの実施態様のパックの違いは、ヒンジ式蓋２３がそれが閉じた位置に枢動して内方ケーシング１２の取り出し開口部２５を覆ったときに、蓋２３の後壁および側壁が内方ケーシング１２の前壁、後壁および側壁１８、１９、２０、２１と面一になるように構成されているということである。さらにパック３１０は、閉じた位置で（図６参照）、ヒンジ式蓋２３を含む内方ケーシング１２全体が外方ハウジング１１内に収容されるように構成されている。
【００３９】
内方ケーシング１２の前壁１８は、弾性フラップ３１３を含み、これは内方ケーシング１２の後壁１９の方に長尺の取り出し開口部２５を少なくとも部分的に横断して延び、これによりパック３１０が逆さまになったり、振られたりした際に内方ケーシング１２に収容されている喫煙品の取り出し開口部２５からの意図しない落下を防ぐ役割を果たす。ユーザーは、必要に応じて取り出し開口部から離れるようにフラップ３１３を折り曲げることによって喫煙品を取り出すことができる。パック３１０から喫煙品を取り出しやすくするために、内方ケーシング１２の前壁１８にスロット（図示せず）を設けて、ユーザーが内方ケーシング１２の底部から取り出し開口部２５の方に喫煙品を移動できるようにしてもよい。このようなスロットは、本発明の第１から第３の実施態様に関して図２〜５に示したような構成にしてもよい。
【００４０】
内方ケーシング１２は、開いた位置へと外方ハウジング１１からバネによって付勢させてもよく（図７参照）停止機構を設けて上述したように内方ケーシング１２が外方ハウジングから所定の距離以上に延びるのを防いでもよい。またパック３１０は、付勢手段の力に抗して内方ケーシング１２を外方ハウジング１１内の格納された閉じた位置に保持するためのラッチ機構を含んでもよい。このようなラッチ機構は、例えば、内方ケーシング１２の前壁１８の外側に形成された突出タブと、閉じた位置で突出タブと係合する段を形成する外方ハウジング１１の前壁１３で内方に折り曲げられたフラップとを含んでもよい。パックは、外方ハウジング１１の側壁１５、１６を共に押圧することによって前壁１３を撓ませ、タブを段から解除し、内方ケーシング１２を付勢手段の力によって外方ハウジング１１から延出させて開くことが可能になる。本発明の範囲内となるこれとは別の構成では、パック３１０は上述したように外方ハウジング１１の底壁１７と内方ケーシング１２の底壁の間に「プッシュ−プッシュ」機構を含むことも可能である。
【００４１】
本発明の第５の実施態様によるパック４１０を図８および９に示し、これは本発明の第１の実施態様のパックと類似した外方ハウジング１１および内方ケーシング１２を含み、従って同様の特徴を有するものには同じ参照符号を付してあり、その詳細な説明についてはここでは繰り返さない。第５の実施態様のパック４１０と第１の実施態様のパックの違いは、内方ケーシング１２がその上端で開かず、その代わりに頂壁４１１を含むということである。さらに内方ケーシング１２の前壁１８は、前壁１８の上部を横方向に横断して延びる喫煙品用の長尺の取り出し開口部４２５を含み、内方ケーシング１２に収容されている喫煙品がそこから分出される。閉じた位置で（図８参照）、長尺の取り出し開口部４２５は、外方ハウジング１１内に隠れており、ヒンジ式蓋２３は外方ハウジング１１の前方で畳まれて、係止タブ３０が蓋２３の内側の内方フラップ３１の上に乗り、蓋を閉じた状態に保持する唇部３３に接して位置する。
【００４２】
パック４１０から喫煙品を取り出しやすくするために、内方ケーシング１２の前壁１８は、長尺の取り出し開口部４２５と連通するスロット２９を含み、上述したようにユーザーは、内方ケーシング１２の底部から取り出し開口部４２５の方へと喫煙品を移動させ、取り出すことができるようになっている。
【００４３】
内方ケーシング１２は、外方ハウジング１１から開いた位置（図７参照）へとバネ付勢させてもよく、上述したように外方ハウジングから所定の距離以上を超えて内方ケーシング１２が延びるのを防ぐために停止機構を含んでもよい。これとは別にパック４１０は、上述したように外方ハウジング１１の底壁１７と内方ケーシング１２の底壁の間に「プッシュ−プッシュ」機構を含むことが可能である。
【００４４】
本発明の第６の実施態様によるパック５１０を図１０および１１に示し、これは上述した本発明のいくつかの実施態様のパックと同じような外方ハウジング１１および内方ケーシング１２を含み、同様の特徴を有するものには同じ参照符号を付してある。本発明の第６の実施態様のパックと上述の実施態様のパックの違いは、パック５１０がヒンジ式蓋を含まず、内方ケーシング１２の頂部が開口してなく、頂壁５１１を含むということである。さらにパック５１０は、閉じた位置で（図１０参照）、内方ケーシング１２全体が外方ハウジング１１内に収容されるように構成されているということである。
【００４５】
内方ケーシング１２の前壁１８は、内方ケーシング１２の側壁２０、２１に延びた長尺の取り出し開口部５２５を含む。これによりユーザーは簡単に取り出し開口部５２５から喫煙品をその横手方向に取り出すことができる。パック５１０から喫煙品を取り出しやすくするために、内方ケーシング１２の前壁１８にスロット５２９（図１１に破線で示した）を設けて、ユーザーが内方ケーシング１２の底部から取り出し開口部５２５の方へと喫煙品を移動させ、取り出すことができるようになっている。
【００４６】
内方ケーシング１２は、外方ハウジング１１から開いた位置（図８参照）にバネ付勢させてもよく、上述したように外方ハウジングから所定の距離以上を超えて内方ケーシング１２が延びるのを防ぐために停止機構を含んでもよい。またパック５１０は、本発明の第４の実施態様のパック３１０で上述したように付勢手段の力に抗して外方ハウジング１１内の格納された閉じた位置に内方ケーシング１２を保持するためにラッチ機構を含んでもよい。これとは別にパック５１０は、上述したように外方ハウジング１１の底壁１７と内方ケーシング１２の底壁の間に「プッシュ−プッシュ」機構を含むことが可能である。
【００４７】
図に示し、上述した本発明の全ての実施態様は、長尺の取り出し開口部２５、４２５、５２５を含み、パック内に収容される紙巻きタバコなどの細長い喫煙品を取り出し開口部を介してから横方向、細長い喫煙品の長手方向に対して直角な方向に取り出すことができるようになっている。
【００４８】
本発明の全ての実施態様は、折りたたまれた板紙で構成してもよい。いずれの図にも示していないが、図に示し、上述した各パックを取り出し開口部を覆う取り外し可能なパネルで構成してもよく、このパネルは、パックの素材に形成されたミシン目などの脆弱化された線によって境界が定められ、これによりパックを最初に開口する際に、ユーザーは薄化された線に沿って破ることによってパネルを取り除くことができる。これによってパック内のタバコ製品の鮮度を輸送および保存可能期間中に維持することができ、かつ、消費者に不正開封に対する証拠を供する。
【００４９】
外方ハウジングから延出した開いた位置に内方ケーシングを付勢する付勢手段を含む本発明の図に示し、上述したパックは、これとは別に付勢手段を含まなくてもよく、代わりに喫煙品をパックから取り出そうとする際に外方ハウジングから内方ケーシングを手動で引き出すようにしてもよい。このような実施態様において、パックを閉じた位置で固定するための係止手段を必ずしも設ける必要はない。
【００５０】
本発明の種々の実施態様を例示し、説明してきたが、本発明はこれらの例示した実施態様に限定されるものではなく、上述した互いに非相互的な排他的特徴の組み合わせを含むパックも以下の特許請求の範囲で定義される本発明の範囲内である。
【００５１】
種々の問題に対処し本技術を促進するため、本開示の全体は種々の実施形態を一例として示す。その実施形態の中で特許請求の範囲に記載の発明が実践され、優れた喫煙品用パックが提供される。本開示の利点および特徴は、単に実施形態の代表的事例であって全てを包括する事例ではなく、これ以外を排除する事例でもない。これらは単に特許請求された特徴の理解を助け、教示するために提示されているに過ぎない。当然のことだが、これらは全ての特許請求された発明を表していない。よって、本開示の特定の態様は、本明細書中で説明されていない。別の態様が本発明の特定の部分のために存在するものではないということ、またはさらなる説明されていない別の態様が一部において利用可能であるということは、これらの別の態様を放棄すると考えるものではない。また当然のことだが、これら説明していない態様の多くは、本発明の同じ原理を包含し、それ以外のものは本発明と同等である。従って、その他の態様も利用可能であり、本開示の範囲・概念から逸脱することなく他の実施形態を利用し改変することができる。従って全ての例、実施例および／または実施態様は、本開示を通して限定的なものではないと見なされる。また記載が長くならないようにまた繰り返しを避けるという目的以外でここで説明しなかった実施態様に対してここで説明したこれらの実施態様に関しての推論をするべきではない。種々の実施形態は、開示された要素、構成要素、特徴、部品、工程、手段他の種々の組合せを好適に含んでも、それらで構成されても、または本質的にそれらで構成されてもよい。開示された要素、構成要素、特徴、部品、工程、手段他のいくつかは、これらが同時に１つの実施態様に存在し得ないことから相互に矛盾する場合もある。同様にいくつかの特徴は、本開示の１つの態様に適用可能であるが、他の態様に適用できないこともある。さらに本開示は、現時点で特許請求されていない他の発明を含む。出願人は、これら現時点で特許請求されていない発明の追加出願、継続出願、一部継続出願、分割出願などを行う権利を含む全ての権利を留保する。従って当然のことだが、本開示の利点、実施形態、実施例、機能、特徴、構造、および他の態様は、特許請求の範囲またはそれと同等のものを限定することによって規定されるので、本開示を限定するものとして考慮すべきではない。
【図１】
0005947916.tif 000002
【図２】
0005947916.tif 000003
【図３】
0005947916.tif 000004
【図４】
0005947916.tif 000005
【図５】
0005947916.tif 000006
【図６】
0005947916.tif 000007
【図７】
0005947916.tif 000008
【図８】
0005947916.tif 000009
【図９】
0005947916.tif 000010
【図１０】
0005947916.tif 000011
【図１１】
0005947916.tif 000012